(57)【要約】【課題】スピンドルモータの故障時にも正常に稼働し続けることができるディスクアレイ装置を提供する。【解決手段】ディスクアレイ装置１１では、所定の配列で収容された複数のキャリア１６のうちのいずれか１台の記録ディスク駆動装置１９のスピンドルモータ２７が故障しても、隣接するキャリア１６の記録ディスク駆動装置１９のスピンドルモータ２７の回転駆動力によって故障したスピンドルモータ２７の回転を継続させることができる。従って、故障したスピンドルモータ２７を有する記録ディスク駆動装置１９の記録ディスク３３から情報を読み出すことができる。その結果、ディスクアレイ装置１１は正常に稼働し続けることができ、ディスクアレイ装置１１の冗長性の低下を回避することができる。【選択図】図６
2013114721.tif 000002
【特許請求の範囲】
【請求項１】
回転軸を回転させる回転駆動力を生成するスピンドルモータを有する記録ディスク駆動装置と、
前記記録ディスク駆動装置を個別に支持する複数のキャリアと、
複数の前記キャリアを所定の配列で収容する筐体と、を備えるディスクアレイ装置であって、
各前記キャリアは、前記回転軸に連結されるクラッチ機構を備え、
相互に隣接する前記キャリアに支持された前記記録ディスク駆動装置同士の間において、前記クラッチ機構同士が連結されることによって前記回転駆動力を相互に伝達可能であることを特徴とするディスクアレイ装置。
【請求項２】
請求項１に記載のディスクアレイ装置において、前記キャリアは、前記クラッチ機構の変位に連動する把手部であって、前記隣接するキャリアのクラッチ機構に連結される連結位置に前記クラッチ機構を配置する閉じ位置と、前記隣接するキャリアのクラッチ機構との連結から離脱する離脱位置に前記クラッチ機構を配置する開き位置と、の間で変位する把手部をさらに備えることを特徴とするディスクアレイ装置。
【請求項３】
請求項２に記載のディスクアレイ装置において、前記キャリアは、前記把手部が開き位置に配置された場合に前記クラッチ機構の回転を制動する制動機構をさらに備えることを特徴とするディスクアレイ装置。
【請求項４】
請求項１〜３のいずれか１項に記載のディスクアレイ装置において、前記回転軸の回転数が同じ場合にのみ相互に連結されるように構成されていることを特徴とするディスクアレイ装置。
【発明の詳細な説明】
【技術分野】
【０００１】
本発明は、複数の記録ディスク駆動装置を収容するディスクアレイ装置に関する。
【背景技術】
【０００２】
ディスクアレイ装置は、いわゆるＲＡＩＤ（Redundant Arrays of Inexpensive Disks）技術を採用しており、複数台のハードディスク駆動装置（ＨＤＤ）に１つのデータを分散して記録することによって冗長性を確保している。こうしたディスクアレイ装置では、ハードディスクを回転させるスピンドルモータの故障はハードディスク駆動装置の縮退の原因の１つである。
【先行技術文献】
【特許文献】
【０００３】
【特許文献１】特開昭６２−０８０８６３号公報
【特許文献２】特開平０４−３６４２８５号公報
【特許文献３】特開平０８−１８５６７８号公報
【発明の概要】
【発明が解決しようとする課題】
【０００４】
この場合、故障したハードディスク駆動装置を交換する必要があるが、当然のことながら、ハードディスク駆動装置の交換が完了するまでの間は冗長性が低下してしまう。しかも、保守員が交換できない場所（例えば無人車両など）に故障したハードディスク駆動装置が設置されたりしている場合、即座に交換を実現することは困難である。
【０００５】
本発明は、上記実情に鑑みてなされたものであって、スピンドルモータの故障時にも正常に稼働し続けることができるディスクアレイ装置を提供することを目的とする。
【課題を解決するための手段】
【０００６】
上記目的を達成するため、本発明によれば、
回転軸を回転させる回転駆動力を生成するスピンドルモータを有する記録ディスク駆動装置と、
前記記録ディスク駆動装置を個別に支持する複数のキャリアと、
複数の前記キャリアを所定の配列で収容する筐体と、を備えるディスクアレイ装置であって、
各前記キャリアは、前記回転軸に連結されるクラッチ機構を備え、
相互に隣接する前記キャリアに支持された前記記録ディスク駆動装置同士の間において、前記クラッチ機構同士が連結されることによって前記回転駆動力を相互に伝達可能であるディスクアレイ装置が提供される。
【０００７】
このディスクアレイ装置によれば、所定の配列で収容された複数のキャリアのうちのいずれか１台の記録ディスク駆動装置のスピンドルモータが故障しても、隣接するキャリアの記録ディスク駆動装置のスピンドルモータの回転駆動力によって、故障したスピンドルモータの回転を継続させることができる。従って、故障したスピンドルモータを有する記録ディスク駆動装置の記録ディスクから情報を読み出すことができる。その結果、ディスクアレイ装置は正常に稼働し続けることができ、ディスクアレイ装置の冗長性の低下を回避することができる。
【０００８】
また、本発明に係るディスクアレイ装置では、前記キャリアは、前記クラッチ機構の変位に連動する把手部であって、前記隣接するキャリアのクラッチ機構に連結される連結位置に前記クラッチ機構を配置する閉じ位置と、前記隣接するキャリアのクラッチ機構との連結から離脱する離脱位置に前記クラッチ機構を配置する開き位置と、の間で変位する把手部をさらに備える。
【０００９】
こうしたディスクアレイ装置によれば、クラッチ機構の変位に連動する把手部を閉じ位置と開き位置との間で変位させることによって、隣接するキャリア同士の間で簡単にクラッチ機構同士を簡単に連結させたり連結から簡単に離脱させたりすることができる。
【００１０】
また、本発明に係るディスクアレイ装置では、前記キャリアは、前記把手部が開き位置に配置された場合に前記クラッチ機構の回転を制動する制動機構をさらに備える。
【００１１】
こうしたディスクアレイ装置によれば、クラッチ機構は回転軸の回転に伴って回転する。把手部を開き位置に配置すると、クラッチ機構は連結から離脱する離脱位置に配置される。このとき、制動機構の働きでクラッチ機構の回転を簡単に制動することができる。その結果、回転するクラッチ機構への接触などによる保守員の怪我の発生を防止することができ、ディスクアレイ装置の安全性を向上させることができる。
【００１２】
また、本発明に係るディスクアレイ装置では、前記クラッチ機構は、前記回転軸の回転数が同じ場合にのみ相互に連結されるように構成されている。
【００１３】
こうしたディスクアレイ装置によれば、異なる回転数の記録ディスク駆動装置が相互に隣接しても、相互に隣接するクラッチ機構同士は連結されない。従って、ディスクアレイ装置に誤って異なる回転数の記録ディスク駆動装置が収容されても、当該記録ディスク駆動装置は誤った回転数で回転することはない。
【発明の効果】
【００１４】
以上のように、本発明によれば、スピンドルモータの故障時にも正常に稼働し続けることができるディスクアレイ装置を提供することができる。
【図面の簡単な説明】
【００１５】
【図１】本発明の一実施形態に係るディスクアレイ装置の外観を概略的に示す斜視図である。
【図２】フロントドアを取り外した状態の本発明の一実施形態に係るディスクアレイ装置を概略的に示す正面図である。
【図３】ハードディスク駆動装置を支持したキャリアの構造を概略的に示す斜視図である。
【図４】図３の４−４線に沿った断面図である。
【図５】ハードディスク駆動装置を収容したキャリアの構造を概略的に示す平面図である。
【図６】図２の６−６線に沿った断面図である。
【図７】クラッチ機構の構造を概略的に示す平面図である。
【発明を実施するための形態】
【００１６】
以下、添付図面を参照しながら本発明の一実施形態について説明する。図１は、本発明の一実施形態に係るディスクアレイ装置１１の外観を概略的に示す斜視図である。このディスクアレイ装置１１は例えば箱形の筐体１２を備えており、筐体１２は、筐体本体１３と、筐体本体１３の前面を塞ぐフロントドア１４と、を備えている。フロントドア１４は、筐体１２の高さ方向に延びる垂直軸線回りで筐体本体１３の前面を開閉自在に筐体本体１３に連結されている。
【００１７】
図２は、フロントドア１４を取り外した状態の本発明の一実施形態に係るディスクアレイ装置１１を概略的に示す正面図である。筐体本体１３の前面には筐体１２の高さ方向に配列された複数のスロット１５が形成されており、各スロット１５には、記録ディスク駆動装置すなわちハードディスク駆動装置（ＨＤＤ）を支持したキャリア１６が収容されている。筐体本体１３の前面には、その他に、例えば電源スイッチやリセットスイッチなどのスイッチ１７、ＣＤ−ＲＯＭドライブなどのドライブ１８が収容されている。
【００１８】
筐体１２内にはさらにマザーボード（図示せず）が収容されており、マザーボードには前述のハードディスク駆動装置やスイッチ１７、ドライブ１８が接続される。マザーボード上にはＣＰＵ（中央演算処理装置）といったコントローラが実装されており、コントローラの制御によってディスクアレイ装置１１の動作が制御される。周知の通り、ディスクアレイ装置１１は、当該ディスクアレイ装置１１に接続される外部コンピュータ（図示せず）の記憶装置として機能する。
【００１９】
図３は、ハードディスク駆動装置１９を支持したキャリア１６を概略的に示す斜視図である。キャリア１６は、キャリア本体２１と、キャリア本体２１の幅方向の両端においてキャリア本体２１の一方の長手方向側面から相互に平行に突き出る１対のフレーム２２、２２と、を備える。１対のフレーム２２、２２の相互に対向する内面同士の間にハードディスク駆動装置１９が支持されており、ハードディスク駆動装置１９は例えばねじ（図示せず）によってフレーム２２、２２に固定されている。
【００２０】
キャリア本体２１は他方の長手方向側面に、キャリア本体２１の長手方向に延びる把手部すなわちハンドル２３を備える。ハンドル２３は、キャリア本体２１の高さ方向すなわち上下方向に延びる回転軸線２４回りに揺動自在にキャリア本体２１に連結されている。回転軸線２４は、キャリア本体２１の長手方向のいずれか一方の端部に隣接して配置されている。後述のように、ハンドル２３は、キャリア本体２１の外面に収容される閉じ位置と、この閉じ位置からキャリア本体２１から最大限に引き出される開き位置との間で揺動することができる。
【００２１】
図４は図３の４−４線に沿った断面図である。図４を併せて参照すると、キャリア１６は、フレーム２２、２２の間にまたがって延びる１対の支持フレーム２５、２５を備えており、上側の支持フレーム２５はアーム２２、２２の上端に連結され、下側の支持フレーム２５はアーム２２、２２の下端に連結されている。本実施形態では、支持フレーム２５、２５はキャリア本体２１の長手方向に平行に延びている。支持フレーム２５、２５は、キャリア１６がハードディスク駆動装置１９を支持した時にハードディスクの回転中心ＣＬ上を通過する。
【００２２】
図４から明らかなように、ハードディスク駆動装置１９は、平たい直方体形状の筐体２６と、筐体２６内に収容されるスピンドルモータ２７と、を備える。スピンドルモータ２７は、筐体２６の底面に支持される固定子２８と、固定子２８に回転自在に支持される回転子２９と、を備える。回転子２９は、回転軸３１と、回転軸３１に固定されるスピンドルハブ３２と、を備えており、スピンドルハブ３２には１枚以上の記録ディスクすなわちハードディスク３３が装着されている。周知の通り、スピンドルモータ２７は所定の回転駆動力で回転軸３１すなわちハードディスク３３を回転させることができる。
【００２３】
回転軸３１の上端及び下端は、回転中心ＣＬに沿って筐体２６に形成された貫通孔３４、３４からそれぞれ筐体２６の外面に露出している。回転軸３１は、貫通孔３４、３４内にそれぞれ固定された軸受けすなわちボールベアリング３５、３５に支持されている。周知の通り、スピンドルモータ２７では、固定子２８に固定されるコイルと、スピンドルハブ３２に固定されてコイルに対向する永久磁石との間の磁気的相互作用によって回転子２９の回転が引き起こされる。
【００２４】
スピンドルモータ２７の回転軸３１の上端及び下端にはキャリア１６のクラッチ機構３６、３６がそれぞれ連結されている。クラッチ機構３６、３６はそれぞれ、回転中心ＣＬ回りに回転自在に支持フレーム２５、２５に支持されている。クラッチ機構３６は例えば金属材料から形成される。各クラッチ機構３６は、回転軸３１の上端又は下端に連結される例えば円柱状の小径部３７と、この小径部３７の外周面から回転中心ＣＬ周りに外側に小径部３７よりも大径に円柱状に広がる大径部３８と、を備えている。大径部３８は、ハードディスク駆動装置１９の筐体２６の上面又は下面に沿ってその上面又は下面から所定の間隔を隔てて広がっている。
【００２５】
クラッチ機構３６、３６は、相互に近づく方向及び相互に離れる方向に回転中心ＣＬに沿って上下方向に相対移動することができる。クラッチ機構３６の上下移動は、キャリア１６のハンドル２３の揺動に連動して実現される。連動の実現にあたって例えばギアなどが利用される。クラッチ機構３６の上下移動にも拘わらず、小径部３７は回転軸３１の上端又は下端との連結を維持することができる。その結果、小径部３７及び大径部３８は、回転軸３１とともに回転中心ＣＬ回りで回転することができる。小径部３７と回転軸３１との間の連結は、例えば凹凸による連結、ビスによる固定、接着剤による固定などによって実現される。
【００２６】
なお、回転中心ＣＬに沿ったクラッチ機構３６の上下移動にも拘わらず、クラッチ機構３６と回転軸３１との間の連結を維持するため、例えば回転中心ＣＬに沿って上下方向に小径部３７を伸縮可能に形成してもよい。また、クラッチ機構３６と回転軸３１との間にクラッチ機構３６の上下方向の移動量よりも大きな厚さを有する歯車を形成してもよい。こうしたクラッチ機構３６の上下移動はハンドル２３の揺動に連動しており、ハンドル２３が閉じ位置に配置されると、クラッチ機構３６はハードディスク駆動装置１６から最大限に遠ざかる連結位置に配置され、ハンドル２３が開き位置に配置されると、クラッチ機構３６はハードディスク駆動装置１６に最大限に近づく離脱位置に配置される。
【００２７】
ハンドル２３の基端には制動機構すなわちブレーキ機構３９が連結されている。ブレーキ機構３９は、図３に示すように、例えば回転軸線２４から所定の方向に延びるアームから形成される。ブレーキ機構３９は例えば金属材料から形成されている。ブレーキ機構３９は、ハンドル２３が閉じ位置に配置された場合にクラッチ機構３６の大径部３８の外周端面から所定の距離をおいて外側に配置される解放位置に配置される。解放位置では、ブレーキ機構３９はクラッチ機構３６の大径部３８の外周端面に接触しないので、クラッチ機構３６の回転は規制されない。
【００２８】
その一方で、図５に示すように、ハンドル２３が開き位置に配置されると、ブレーキ機構３９は、回転軸線２４回りに揺動して制動位置に配置される。この制動位置ではブレーキ機構３９の先端面がクラッチ機構３６の大径部３８の外周端面に接触することによって摩擦が発生する。その結果、ブレーキ機構３９は、回転中心ＣＬ回りのクラッチ機構３６の回転すなわち回転軸３１の回転を停止させることができる。その結果、ハードディスク駆動装置１９内ではハードディスク３３の回転を停止させることができる。なお、ブレーキ機構３９は、ハードディスク駆動装置１９のスピンドルモータ２７に駆動電流が供給されていない場合にのみ使用される。
【００２９】
図６は図２の６−６線に沿った部分拡大断面図である。図６に示すように、各スロット１５にはハードディスク駆動装置１９を支持したキャリア１６が収容される。ハードディスク駆動装置１９は、筐体２６の短手方向の側面に配置されたコネクタ（図示せず）を介して例えばバックプレート（図示せず）上のコネクタに接続される。各ハードディスク駆動装置１９は水平姿勢で配列されている。同時に、すべてのハードディスク駆動装置１９におけるハードディスク３３の回転中心ＣＬは一致している。
【００３０】
各キャリア１６ではハンドル２３は閉じ位置に配置されているので、ブレーキ機構３９は解放位置に配置されている。また、各クラッチ機構３６は連結位置に配置されている。その結果、相互に隣接するキャリア１６、１６同士の間では大径部３８、３８同士が相互に連結されているので、相互に隣接するハードディスク駆動装置１９、１９の間ではスピンドルモータ２７の回転駆動力を相互に伝達することができる。各スロット１５内へのキャリア１６の着脱については後述する。
【００３１】
ディスクアレイ装置１１の稼働時、すべてのハードディスク駆動装置１９のハードディスク３３は、例えば７２００ｒｐｍといった回転数に等しく設定されている。前述のように、相互に隣接するキャリア１６、１６同士の間ではクラッチ機構３６、３６同士が相互に連結されているので、ディスクアレイ装置１１では、複数のスロット１５のそれぞれにハードディスク駆動装置１９を支持したキャリア１６が収容される場合、すべてのハードディスク駆動装置１９のハードディスク３３の回転が相互に連動している。
【００３２】
以上のようなディスクアレイ装置１１によれば、複数のハードディスク駆動装置１９のうちの一台のハードディスク駆動装置１９のスピンドルモータ２７が故障しても、隣接するハードディスク駆動装置１９のスピンドルモータ２７の回転駆動力によって故障したスピンドルモータ２７のハードディスク３３の回転を継続させることができる。従って、故障したスピンドルモータ２７を有するハードディスク駆動装置１９のハードディスク３３から磁気情報を故障後も継続して読み出すことができる。その結果、ディスクアレイ装置１１は正常に稼働し続けることができ、ディスクアレイ装置１１の冗長性の低下を回避することができる。
【００３３】
次に、ディスクアレイ装置１１においてハードディスク駆動装置１９を交換する場面を説明する。ディスクアレイ装置１１の稼働中、例えば保守員は、故障したスピンドルモータ２７を有するハードディスク駆動装置１９を支持したキャリア１６において、ハンドル２３を開き位置に揺動させる。その結果、クラッチ機構３６、３６は、ハードディスク駆動装置１９に向かって相互に接近して離脱位置に配置され、それぞれ隣接するキャリア１６のクラッチ機構３６、３６との連結から離脱する。同時に、ハンドル２３が開き位置に配置されると、ブレーキ機構３９は、制動位置でクラッチ機構３６の大径部３８の外周端面に接触してクラッチ機構３６の回転を停止させる。
【００３４】
この状態で、保守員は、開き位置に配置されたハンドル２３を握って、筐体本体１３の外側に向かって水平姿勢のままスロット１５からキャリア１６を引き出す。その結果、ハードディスク駆動装置１９のコネクタはバックプレートのコネクタから切り離される。キャリア１６が筐体本体１３のスロット１５から完全に引き出されることによって、キャリア１６はスロット１５から取り外される。このとき、ディスクアレイ装置１１では、他のキャリア１６に支持されたハードディスク駆動装置１９ではハードディスク３３は回転し続けているので、ディスクアレイ装置１１の稼働は中断されない。
【００３５】
その一方で、新しいハードディスク駆動装置１９を支持したキャリア１６が用意される。新しいハードディスク駆動装置１９は予めキャリア１６に取り付けられており、ハードディスク駆動装置１９の回転軸３１の上端及び下端には予めクラッチ機構３６、３６が連結されている。このとき、キャリア１６のハンドル２３は開き位置に配置されており、クラッチ機構３６、３６はハードディスク駆動装置１９に最大限に近づく離脱位置に配置されている。同様に、ブレーキ機構３９は、クラッチ機構３６、３６の大径部３９の外周面に接触する制動位置に配置されている。
【００３６】
保守員は、開き位置に配置されたハンドル２３を握ってキャリア１６をスロット１５に挿入する。キャリア１６がスロット１５の奥まで押し込まれると、ハードディスク駆動装置１９のコネクタはバックプレート上のコネクタに接続される。その後、開き位置から閉じ位置にハンドル２３を揺動させると、ブレーキ機構３９が解放位置に移動すると同時に、クラッチ機構３６、３６はハードディスク駆動装置１９から最大限に遠ざかる連結位置に配置される。その結果、クラッチ機構３６、３６は、それぞれ隣接するスロット１５のクラッチ機構３６、３６に連結される。こうしてキャリア１６の取り付けが完了する。
【００３７】
こうしたディスクアレイ装置１１によれば、キャリア１６の着脱時にハンドル２３を開き位置及び閉じ位置の間で揺動させるだけで、隣接するキャリア１６のクラッチ機構３６との間でクラッチ機構３６の連結と連結からの離脱とを簡単に切り替えることができる。しかも、ハンドル２３の揺動にはブレーキ機構３９の揺動が連動することから、保守員はハンドル２３を揺動させるだけで、クラッチ機構３６すなわちハードディスク３３の回転を簡単に停止させることができる。その結果、回転するクラッチ機構３６との接触などによる保守員の怪我を防止し、ディスクアレイ装置１１の安全性を向上させることができる。
【００３８】
図７はクラッチ機構３６、３６ａ、３６ｂの構造を概略的に示す平面図である。本発明に係るディスクアレイ装置１１では、クラッチ機構３６の大径部３８の大きさはハードディスク３３の回転数に応じて異なってよい。大径部３８の形状を変化させることによって、異なる回転数を有するハードディスク駆動装置１９同士を誤って連結することを防止することができる。例えば図７（ａ）に示す前述のクラッチ機構３６は、ハードディスク３３が７２００ｒｐｍの回転数の場合のみに使用される。その一方で、例えばハードディスク３３が、１００００ｒｐｍの回転数の場合には図７（ｂ）に示すクラッチ機構３６ａが使用され、１５０００ｒｐｍの回転数の場合には図７（ｃ）に示すクラッチ機構３６ｂが使用される。
【００３９】
図７（ｂ）に示すクラッチ機構３６ａは、隣接するクラッチ機構３６ａに対向する大径部３８の上面に円形の凹部４１が形成されている。凹部４１は例えば平たい円柱空間から形成されることが好ましい。この凹部４１の内径は、クラッチ機構３６の大径部３８の外径よりも大きく設定される。クラッチ機構３６ａの大径部３８の外径は、図７（ａ）のクラッチ機構３６の大径部３８の外径よりも大きく設定される。クラッチ機構３６ａ、３６ａ同士は、凹部４１を取り囲む外周部分で相互に連結される。このクラッチ機構３６ａがクラッチ機構３６に対向すると、クラッチ機構３６の大径部３８はクラッチ機構３６ａの凹部４１に対向する。従って、クラッチ機構３６ａとクラッチ機構３６とは相互に連結されない。
【００４０】
図７（ｃ）に示すクラッチ機構３６ｂは、隣接するクラッチ機構３６ｂの大径部３８に対向する大径部３８の上面に円形の凹部４２が形成されている。凹部４２は例えば平たい円柱空間から形成されることが好ましい。この凹部４２の内径は、図７（ｂ）のクラッチ機構３６ａの大径部３８の外径よりも大きく設定される。クラッチ機構３６ｂの大径部３８の外径は、クラッチ機構３６、３６ａの大径部３８の外径よりも大きく設定される。クラッチ機構３６ｂ、３６ｂ同士は、凹部４２を取り囲む外周部分で相互に連結される。このクラッチ機構３６ｂがクラッチ機構３６、３６ａに対向すると、クラッチ機構３６、３６ａの大径部３８はクラッチ機構３６ｂの凹部４２に対向する。従って、クラッチ機構３６ｂとクラッチ機構３６、３６ａとは相互に連結されない。
【００４１】
上記の実施形態の一部又は全部は、以下の付記のようにも記載されうるが、以下には限られない。
【００４２】
（付記１）  回転軸を回転させる回転駆動力を生成するスピンドルモータを有する記録ディスク駆動装置と、
前記記録ディスク駆動装置を個別に支持する複数のキャリアと、
複数の前記キャリアを所定の配列で収容する筐体と、を備えるディスクアレイ装置であって、
各前記キャリアは、前記回転軸に連結されるクラッチ機構を備え、
相互に隣接する前記キャリアに支持された前記記録ディスク駆動装置同士の間において、前記クラッチ機構同士が連結されることによって前記回転駆動力を相互に伝達可能であることを特徴とするディスクアレイ装置。
【００４３】
（付記２）  付記１に記載のディスクアレイ装置において、前記キャリアは、前記クラッチ機構の変位に連動する把手部であって、前記隣接するキャリアのクラッチ機構に連結される連結位置に前記クラッチ機構を配置する閉じ位置と、前記隣接するキャリアのクラッチ機構との連結から離脱する離脱位置に前記クラッチ機構を配置する開き位置と、の間で変位する把手部をさらに備えることを特徴とするディスクアレイ装置。
【００４４】
（付記３）  付記２に記載のディスクアレイ装置において、前記キャリアは、前記把手部が開き位置に配置された場合に前記クラッチ機構の回転を制動する制動機構をさらに備えることを特徴とするディスクアレイ装置。
【００４５】
（付記４）  付記１〜３のいずれか１項に記載のディスクアレイ装置において、前記回転軸の回転数が同じ場合にのみ相互に連結されるように構成されていることを特徴とするディスクアレイ装置。
【符号の説明】
【００４６】
１１    ディスクアレイ装置
１２    筐体
１６    キャリア
１９    記録ディスク駆動装置（ハードディスク駆動装置）
２３    把手部（ハンドル）
２７    スピンドルモータ
３１    回転軸
３６    クラッチ機構
３９    制動機構（ブレーキ機構）
【図１】
2013114721.tif 000003
【図２】
2013114721.tif 000004
【図３】
2013114721.tif 000005
【図４】
2013114721.tif 000006
【図５】
2013114721.tif 000007
【図６】
2013114721.tif 000008
【図７】
2013114721.tif 000009